(57)【要約】【課題】ユーザによってコンテンツ要約情報が視認される可能性が高い場合には、そのユーザに操作を強いることなく、コンテンツ要約情報を表示することができる通信装置および通信システムを提供すること。【解決手段】ＰＣ７０，７１のユーザによって、表示パネル５０に表示される各コンテンツのタイトル等が視認される可能性が高い場合には、多機能機１０が、電話機能への着信があったときに、スピーカ６４から鳴動音を出力しないおやすみモードや、電話機能への着信があったときに、その着信に応答し、留守であることを伝える留守電モードに設定されていても、即ち、待受状態に設定されていても、各コンテンツのタイトル等の表示パネル５０への表示を、中止することなく、継続する。よって、多機能機１０は、待受状態となっても、ＰＣ７０，７１のユーザに何ら操作を強いることなく、各コンテンツのタイトル等を表示することができる。【選択図】図６
2010087901.tif 000002
【特許請求の範囲】
【請求項１】
コンテンツのタイトルとそのタイトルに関連する情報とを少なくとも含むコンテンツ要約情報のネットワーク位置情報が示す装置にアクセス可能であり、且つ、制御装置との通信が可能に構成され、その制御装置の稼動状態が操作された状態であるか否かを示す稼動情報を少なくとも受信可能な通信装置であって、
前記コンテンツ要約情報のネットワーク位置情報を記憶する位置情報記憶手段と、
その位置情報記憶手段に記憶されたネットワーク位置情報が示す装置にアクセスし、前記コンテンツ要約情報を取得する要約情報取得手段と、
その要約情報取得手段によって取得したコンテンツ要約情報を記憶する要約情報記憶手段と、
その要約情報記憶手段に記憶されたコンテンツ要約情報を表示するタイトル表示手段と、
前記通信装置の稼動状態が、前記タイトル表示手段への前記コンテンツ要約情報の表示を実行している実行状態であるか否かを検出する検出手段と、
前記制御装置から受信した稼動情報に基づいてその制御装置が操作された状態であるかを判定する判定手段と、
前記検出手段により前記通信装置が前記実行状態でないと検出された場合に、前記判定手段により前記制御装置が操作された状態であると判定されたときには、前記タイトル表示手段への前記コンテンツ要約情報の表示を実行する実行手段を備えていることを特徴とする通信装置。
【請求項２】
前記判定手段は、前記制御装置から受信した稼動情報により、その制御装置が操作された状態であるか、その制御装置が所定時間操作されない状態であるかを判定するものであり、
前記実行手段は、前記タイトル表示手段への前記コンテンツ要約情報の表示を実行している場合に、前記判定手段により前記制御装置が所定時間操作されない状態であると判定されたときには、前記タイトル表示手段への前記コンテンツ要約情報の表示を行わないことを特徴とする請求項１記載の通信装置。
【請求項３】
前記検出手段により検出された前記通信装置の稼動状態および前記判定手段により判定された前記制御装置の稼動状態に拘らず、前記要約情報取得手段に対して前記コンテンツ要約情報の取得を指示することで、前記要約情報記憶手段に記憶されるコンテンツ要約情報を更新する要約情報更新手段を備えていることを特徴とする請求項１または２に記載の通信装置。
【請求項４】
前記制御装置から送信される稼動情報を受信する情報受信手段を備え、
前記判定手段は、前記情報受信手段により受信された最新の稼動情報を用いて、前記制御装置の稼動状態を判定するものであることを特徴とする請求項１から３のいずれかに記載の通信装置。
【請求項５】
前記判定手段は、前記制御装置から送信される稼動情報が、前回受信されてから所定時間を越えても前記情報受信手段に受信されない場合には、前記制御装置が所定時間操作されない状態であると判定する状態判定手段を備えていることを特徴とする請求項４記載の通信装置。
【請求項６】
前記複数の制御装置と接続可能に構成されており、
その複数の制御装置が接続されている場合に、その複数の制御装置からユーザが選択した特定の制御装置を記憶する記憶手段を備え、
前記情報受信手段は、受信した前記制御装置の稼動情報から、前記記憶手段に記憶された特定の制御装置の稼動情報を抽出する抽出手段を備え、
前記判定手段は、
前記抽出手段により抽出された前記稼動情報の全てが前記所定時間操作されない状態を示している場合に、前記稼動状態を、前記制御装置が所定時間操作されない状態であると判定する一方、
前記抽出手段により抽出された前記稼動情報の少なくとも１つが前記操作された状態を示している場合に、前記稼動状態を、前記制御装置が操作された状態であると判定する抽出判定手段を備えていることを特徴とする請求項４または５に記載の通信装置。
【請求項７】
前記複数の制御装置と接続可能に構成されており、
前記情報受信手段は、前記複数の制御装置が接続されている場合に、その複数の制御装置の全てから前記稼動情報を受信するものであり、
前記判定手段は、
前記情報受信手段により受信された前記稼動情報の全てが前記所定時間操作されない状態を示している場合に、前記稼動状態を、前記制御装置が所定時間操作されない状態であると判定する一方、
前記情報受信手段により受信された前記稼動情報の少なくとも１つが前記操作された状態を示している場合に、前記稼動状態を、前記制御装置が操作された状態であると判定する全判定手段を備えていることを特徴とする請求項４または５に記載の通信装置。
【請求項８】
請求項１から７のいずれかに記載の通信装置と、その通信装置と通信可能な制御装置を備えていることを特徴とする通信システム。
【発明の詳細な説明】
【技術分野】
【０００１】
本発明は、通信装置および通信システムに関するものである。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、フィード情報を取得して各コンテンツのタイトルを表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００３】
上述した非特許文献１に開示されたソフトウェアを、プリンタ機能や電話機能を有するパーソナルコンピュータと通信可能な多機能機に応用し、各コンテンツのタイトルを多機能機の表示装置に表示する場合には、次の問題点がある。即ち、多機能機は、パーソナルコンピュータの近くに配置されるのが一般的であるので、パーソナルコンピュータが起動され、ユーザにより操作が行われている状態では（スクリーンセーバが動作していない状態では）、そのユーザによって、多機能機の表示装置に表示される各コンテンツのタイトルが操作の合間に視認される可能性が高い。このとき、多機能機が、省電力モードに移行し、更に、電話機能への着信があったときに鳴動音を出力しないおやすみモードや、電話機能への着信があったときに、その着信に応答し、留守であることを伝える留守電モードに、設定されていれば、多機能機は、一般的に、各コンテンツのタイトルを表示装置に表示しない状態にする。このように、多機能機が省電力モードに移行し、更におやすみモードや留守電モードに設定されている場合には、一般的に、各コンテンツのタイトルが表示装置に表示されないので、ユーザがパーソナルコンピュータの操作を行っており、ユーザによって各コンテンツのタイトルが視認される可能性が高いにも拘らず、そのタイトルを即座にユーザに視認させることができないという問題点があった。また、多機能機が省電力モードに移行し、更におやすみモードや留守電モードに設定されている場合には、各コンテンツのタイトルを表示装置へ表示させるために、パーソナルコンピュータのユーザへ、多機能機のおやすみモードや留守電モードを解除させる操作を強いるという問題点があった。
【０００４】
本発明は上述した問題点を解決するためになされたものであり、ユーザによってコンテンツ要約情報が視認される可能性が高い場合には、そのユーザに操作を強いることなく、コンテンツ要約情報を表示することができる通信装置および通信システムを提供することを目的とする。
【課題を解決するための手段】
【０００５】
この目的を達成するために請求項１記載の通信装置は、コンテンツのタイトルとそのタイトルに関連する情報とを少なくとも含むコンテンツ要約情報のネットワーク位置情報が示す装置にアクセス可能であり、且つ、制御装置との通信が可能に構成され、その制御装置の稼動状態が操作された状態であるか否かを示す稼動情報を少なくとも受信可能なものであり、前記コンテンツ要約情報のネットワーク位置情報を記憶する位置情報記憶手段と、その位置情報記憶手段に記憶されたネットワーク位置情報が示す装置にアクセスし、前記コンテンツ要約情報を取得する要約情報取得手段と、その要約情報取得手段によって取得したコンテンツ要約情報を記憶する要約情報記憶手段と、その要約情報記憶手段に記憶されたコンテンツ要約情報を表示するタイトル表示手段と、前記通信装置の稼動状態が、前記タイトル表示手段への前記コンテンツ要約情報の表示を実行している実行状態であるか否かを検出する検出手段と、前記制御装置から受信した稼動情報に基づいてその制御装置が操作された状態であるかを判定する判定手段と、前記検出手段により前記通信装置が前記実行状態でないと検出された場合に、前記判定手段により前記制御装置が操作された状態であると判定されたときには、前記タイトル表示手段への前記コンテンツ要約情報の表示を実行する実行手段を備えている。
【０００６】
なお、ネットワーク位置情報は、コンテンツ要約情報の位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。また、タイトルは、コンテンツの全体の文字列よりも少ない文字列であって、コンテンツの内容を反映している文字列を意味している。
【０００７】
請求項２記載の通信装置は、請求項１記載の通信装置において、前記判定手段は、前記制御装置から受信した稼動情報により、その制御装置が操作された状態であるか、その制御装置が所定時間操作されない状態であるかを判定するものであり、前記実行手段は、前記タイトル表示手段への前記コンテンツ要約情報の表示を実行している場合に、前記判定手段により前記制御装置が所定時間操作されない状態であると判定されたときには、前記タイトル表示手段への前記コンテンツ要約情報の表示を行わないものである。
【０００８】
なお、制御装置が所定時間操作されない状態とは、一定時間、ユーザによる制御装置の操作が行われずに、制御装置に内蔵される電子回路の一部への電源供給が停止された状態や、制御装置に設けられた表示装置の焼け付きを防止するスクリーンセーバが起動した状態、即ち、制御装置のユーザによってコンテンツ要約情報が視認される可能性が低い状態が例示される。
【０００９】
請求項３記載の通信装置は、請求項１または２に記載の通信装置において、前記検出手段により検出された前記通信装置の稼動状態および前記判定手段により判定された前記制御装置の稼動状態に拘らず、前記要約情報取得手段に対して前記コンテンツ要約情報の取得を指示することで、前記要約情報記憶手段に記憶されるコンテンツ要約情報を更新する要約情報更新手段を備えている。
【００１０】
請求項４記載の通信装置は、請求項１から３のいずれかに記載の通信装置において、前記制御装置から送信される稼動情報を受信する情報受信手段を備え、前記判定手段は、前記情報受信手段により受信された最新の稼動情報を用いて、前記制御装置の稼動状態を判定するものである。
【００１１】
請求項５記載の通信装置は、請求項４記載の通信装置において、前記判定手段は、前記制御装置から送信される稼動情報が、前回受信されてから所定時間を越えても前記情報受信手段に受信されない場合には、前記制御装置が所定時間操作されない状態であると判定する状態判定手段を備えている。
【００１２】
請求項６記載の通信装置は、請求項４または５に記載の通信装置において、前記複数の制御装置と接続可能に構成されており、その複数の制御装置が接続されている場合に、その複数の制御装置からユーザが選択した特定の制御装置を記憶する記憶手段を備え、前記情報受信手段は、受信した前記制御装置の稼動情報から、前記記憶手段に記憶された特定の制御装置の稼動情報を抽出する抽出手段を備え、前記判定手段は、前記抽出手段により抽出された前記稼動情報の全てが前記所定時間操作されない状態を示している場合に、前記稼動状態を、前記制御装置が所定時間操作されない状態であると判定する一方、前記抽出手段により抽出された前記稼動情報の少なくとも１つが前記操作された状態を示している場合に、前記稼動状態を、前記制御装置が操作された状態であると判定する抽出判定手段を備えている。
【００１３】
なお、記憶手段に記憶される特定の制御装置は、単数であっても複数であっても良い。なお、特定の制御装置が単数である場合には、抽出判定手段は、抽出手段により抽出された１の稼動情報が所定時間操作されない状態を示している場合に、制御装置が所定時間操作されない状態であると判定する一方、抽出手段により抽出された１の稼動情報が操作された状態を示している場合に、制御装置が操作された状態であると判定する。
【００１４】
請求項７記載の通信装置は、請求項４または５に記載の通信装置において、前記複数の制御装置と接続可能に構成されており、前記情報受信手段は、前記複数の制御装置が接続されている場合に、その複数の制御装置の全てから前記稼動情報を受信するものであり、前記判定手段は、前記情報受信手段により受信された前記稼動情報の全てが前記所定時間操作されない状態を示している場合に、前記稼動状態を、前記制御装置が所定時間操作されない状態であると判定する一方、前記情報受信手段により受信された前記稼動情報の少なくとも１つが前記操作された状態を示している場合に、前記稼動状態を、前記制御装置が操作された状態であると判定する全判定手段を備えている。
【００１５】
請求項８記載の通信システムは、請求項１から７のいずれかに記載の通信装置と、その通信装置と通信可能な制御装置を備えている。
【発明の効果】
【００１６】
請求項１記載の通信装置によれば、通信装置が実行状態でないと検出手段により検出されたとしても、制御装置が操作された状態であると判定手段により判定されたときには、即ち、制御装置のユーザによってコンテンツ要約情報が視認される可能性が高い場合には、実行手段は、タイトル表示手段へのコンテンツ要約情報の表示を実行する。つまり、制御装置のユーザによってコンテンツ要約情報が視認される可能性が高い場合には、通信装置が実行状態でなくても、タイトル表示手段によるコンテンツ要約情報の表示を行う。よって、制御装置のユーザに何ら操作を強いることなく、コンテンツ要約情報を表示することができるという効果がある。
【００１７】
請求項２記載の通信装置によれば、請求項１記載の通信装置の奏する効果に加え、タイトル表示手段へのコンテンツ要約情報の表示が実行手段により実行されている場合に、制御装置が所定時間操作されない状態であると判定手段により判定されたときには、タイトル表示手段へのコンテンツ要約情報の表示を行わない。よって、タイトル表示手段へのコンテンツ要約情報の表示が実行手段により実行されている場合に、制御装置のユーザによってコンテンツ要約情報が視認される可能性が低くなったときには、コンテンツ要約情報の表示を解除して、通信装置で消費される電力を削減することができるという効果がある。
【００１８】
請求項３記載の通信装置によれば、請求項１または２に記載の通信装置の奏する効果に加え、要約情報更新手段は、検出手段により検出された通信装置の稼動状態および判定手段により判定された制御装置の稼動状態に拘らず、コンテンツ要約情報の取得を要約情報取得手段に対して指示する。よって、通信装置および制御装置の稼動状態に拘らず、要約情報記憶手段に記憶されるコンテンツ要約情報を更新することができる。従って、コンテンツ表示手段に表示されるコンテンツ要約情報を最新の情報とすることができるという効果がある。
【００１９】
請求項４記載の通信装置によれば、請求項１から３のいずれかに記載の通信装置の奏する効果に加え、判定手段は、情報受信手段が受信した稼動情報、即ち、制御装置から送信される稼動情報を用いて、制御装置の稼動状態を判定する。このように、制御装置の稼動状態を最新の稼動情報を用いて判定することで、制御装置のユーザによってコンテンツ要約情報が視認される最新の可能性に応じて、タイトル表示手段へのコンテンツ要約情報の表示とその表示の解除とを切り換えることができるという効果がある。
【００２０】
請求項５記載の通信装置によれば、請求項４記載の通信装置の奏する効果に加え、制御装置の稼動情報が前回受信されてから所定時間を越えても情報受信手段に受信されない場合には、待機判定手段は、制御装置の稼動状態を、所定時間操作されない状態であると判定する。つまり、制御装置の稼動情報が前回受信されてから所定時間を越えても情報受信手段に受信されない場合には、例えば、制御装置の電源がオフされて、制御装置のユーザによってコンテンツ要約情報が視認される可能性が低くなったと判定する。よって、制御装置のユーザによってコンテンツ要約情報が視認される可能性が低くなったにも拘らず、タイトル表示手段にコンテンツ要約情報が表示されてしまうことを防止することができるという効果がある。
【００２１】
請求項６記載の通信装置によれば、請求項４または５に記載の通信装置の奏する効果に加え、抽出手段により抽出された特定の制御装置の稼動情報の全てが所定時間操作されない状態を示している場合には、抽出判定手段は、制御装置が所定時間操作されない状態であると判定する一方、抽出手段により抽出された特定の制御装置の稼動情報のうち、少なくとも１つが操作された状態を示している場合には、抽出判定手段は、制御装置が操作された状態であると判定する。つまり、特定の制御装置の少なくとも１つが操作された状態であれば、制御装置のユーザによってコンテンツ要約情報が視認される可能性が高いと判定する。よって、特定の制御装置のユーザがタイトル表示手段を視認した際に、タイトル表示手段にコンテンツ要約情報が表示されない状態になっていることを防止することができるという効果がある。
【００２２】
請求項７記載の通信装置によれば、請求項４または５に記載の通信装置の奏する効果に加え、全ての制御装置から情報受信手段が受信した稼動情報の全てが所定時間操作されない状態を示している場合には、全判定手段は、制御装置が所定時間操作されない状態であると判定する一方、全ての制御装置から情報受信手段が受信した稼動情報のうち、少なくとも１つが操作された状態を示している場合には、全判定手段は、制御装置が操作された状態であると判定する。つまり、通信装置と通信を行う全ての制御装置のうち、少なくとも１つが操作された状態であれば、制御装置のユーザによってコンテンツ要約情報が視認される可能性が高いと判定する。よって、いずれかの制御装置のユーザがタイトル表示手段を視認した際に、タイトル表示手段にコンテンツ要約情報が表示されない状態になっていることを防止することができるという効果がある。
【００２３】
請求項８記載の通信システムによれば、請求項１から７のいずれかに記載の通信装置の奏する効果を発揮することができるという効果がある。
【発明を実施するための最良の形態】
【００２４】
以下、本発明の好ましい実施形態について、添付図面を参照して説明する。図１は、本発明の一実施形態における多機能機システム２の概略を示した図である。多機能機システム２は、多機能機１０と複数のパーソナルコンピュータ（以下、「ＰＣ」と称す）７０，７１と複数のコンテンツ提供サーバ９０，９１とを備える。なお、図１では、１つの多機能機１０と２つのＰＣ７０，７１と２つのコンテンツ提供サーバ９０，９１としか示されていないが、これらの数は適宜変更することができる。
【００２５】
なお、本実施形態の多機能機１０によれば、ＰＣ７０或いはＰＣ７１のユーザによって、多機能機１０の表示パネル５０に表示される各コンテンツのタイトル等（コンテンツタイトル文字列１４０とコンテンツ更新日時情報１４２とコンテンツ要約文字列１４４）が視認される可能性が高い場合には、多機能機１０が、電話機能への着信があったときに、スピーカ６４から鳴動音を出力しないおやすみモードや、電話機能への着信があったときに、その着信に応答し、留守であることを伝える留守電モードに設定されていても、即ち、待受状態に設定されていても、各コンテンツのタイトル等の表示パネル５０への表示を、中止することなく、継続する。よって、多機能機１０は、その状態が待受状態となっても、ＰＣ７０或いはＰＣ７１のユーザに何ら操作を強いることなく、各コンテンツのタイトル等を表示することができる。
【００２６】
図１に示す多機能機１０は、印刷機能、スキャナ機能、電話機能等を実現する通信装置であり、ＬＡＮ回線４に接続されている。各ＰＣ７０，７１は、多機能機１０と通信を行い、多機能機１０の印刷機能やスキャナ機能を制御する制御装置であり、ＬＡＮ回線４に接続されている。ＬＡＮ回線４は、ルータ６を介してインターネット８に接続されている。各コンテンツ提供サーバ９０，９１は、インターネット８に接続されている。
【００２７】
本実施形態では、コンテンツ提供サーバ９０が１つのサイトを公開しており、コンテンツ提供サーバ９１が他の１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２８】
次に、ＰＣ７０の内部構成について説明する。なお、ＰＣ７１は、ＰＣ７０と同様の内部構成であるので、その説明を省略する。ＰＣ７０は、ＣＰＵ７２とハードディスク７４と表示部８２と操作部８４を主に有する。なお、図１には示されていないが、ＰＣ７０は、ＬＡＮ回線４に接続されているネットワークインターフェイスも有している。
【００２９】
ＣＰＵ７２は、演算装置であり、基本プログラム７６および常駐ソフト７８に従って処理を実行する。ＣＰＵ７２が実行する処理については、図５を用いて後に詳しく説明する。ハードディスク７４は、基本プログラム７６および常駐ソフト７８を記憶している。
【００３０】
基本プログラム７６は、ＰＣ７０の基本的な動作を制御するためのプログラムである。基本プログラム７６は、例えば、インターネット８のサイトからコンテンツをダウンロードして表示するためのブラウザを含んでいる。
【００３１】
常駐ソフト７８は、多機能機１０に、ＰＣ７０が起動したことを示すＰＣ起動通知を送信したり、多機能機１０からの指示に従って動作したりするためのプログラムである。ＰＣ起動通知については、後で詳しく説明する。この常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。
【００３２】
常駐ソフト７８の機能の一つを実現するＰＣ稼動情報送信ソフト７８ａは、図５に示すフローチャートを実現するソフトである。具体的には、ＰＣ７０の稼動状態を示す稼動情報を、多機能機１０へ定期的に（本実施形態では、１分毎に）送信するソフトである。なお、ＰＣ７０の稼動状態には、表示部８２の画面焼け付きを防止するスクリーンセーバが起動した状態である待機状態と（所定時間操作されない状態と）、スクリーンセーバが未だ起動していない状態（操作された状態）である通常状態とがある。
【００３３】
ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容の利用については、後で詳しく説明する。
【００３４】
表示部８２は、様々な情報を表示することができる。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００３５】
次に、図２を参照して多機能機１０について説明する。図２は、多機能機１０の電気的構成を示すブロック図である。多機能機１０は、制御部１２と表示パネル５０とキーパッド５２と印刷部５４とスキャン部５６とＦＡＸ部５８とネットワークインターフェイス（以下、「ネットワークＩ／Ｆ」と称す）６０とＰＳＴＮインターフェイス（以下、「ＰＳＴＮ  Ｉ／Ｆ」と称す）６２とスピーカ６４とを主に有する。なお、制御部１２と各部５０〜６４とは、バスライン６６を介して互いに接続されている。制御部１２は、ＣＰＵ１４とＲＯＭ１６とＲＡＭ１８とＮＶＲＡＭ２０を主に有する。
【００３６】
ＣＰＵ１４は、演算装置であり、ＲＯＭ１６に記憶されている各プログラム１６ａ〜１６ｅに従って処理を実行する。ＣＰＵ１４が実行する処理については、図６〜図９を用いて後に詳しく説明する。ＲＯＭ１６は、各プログラム１６ａ〜１６ｅを記憶する書き込み不能な不揮発性のメモリである。
【００３７】
基本機能プログラム１６ａは、多機能機１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等の各部５０〜６４を制御するためのプログラムを含んでいる。
【００３８】
インターネット接続プログラム１６ｂは、インターネット８に接続するためのプログラムである。フィード情報解析プログラム１６ｃは、コンテンツ提供サーバ９０，９２から取得されるフィード情報を解析し、表示パネル５０で表示するための情報（以下、「表示情報」と称す）を作成するためのプログラムである。フィード情報表示プログラム１６ｄは、表示情報を表示するためのプログラムである。ＰＣ管理プログラム１６ｅは、ＰＣ７０，７１から送信されるＰＣ起動通知に従って処理を実行するためのプログラムである。より具体的に言うと、ＰＣ管理プログラム１６ｅは、ＰＣ起動通知の送信元のＰＣに関する情報（例えばＩＰアドレスやＰＣのホスト名）を後述するＲＡＭ１８のＰＣ情報記憶領域１８ｄに記憶させるためのプログラムである。
【００３９】
ＲＡＭ１８は、各記憶領域１８ａ〜１８ｄを有する読み書き可能な揮発性のメモリである。基本機能ワーク領域１８ａは、基本機能プログラム１６ａに従って処理が実行される過程で生成される各種データを記憶するための記憶領域である。フィード情報解析ワーク領域１８ｂは、フィード情報解析プログラム１６ｃに従って処理が実行される過程で作成される各種データを記憶するための記憶領域である。表示情報記憶領域１８ｃは、フィード情報解析プログラム１６ｃに従って作成される表示情報を記憶するための記憶領域である。ＰＣ情報記憶領域１８ｄは、ＰＣ起動通知の送信元のＰＣに関する情報を記憶するための記憶領域である。
【００４０】
スリープフラグ１８ｅは、印刷部５４やスキャン部５６への通電を停止すると共に、各コンテンツのタイトルの表示パネル５０への表示を中止するスリープモードに設定された場合にオンに設定されるフラグである。なお、スリープモード時に、電話機能への着信があったときには、スピーカ６４から鳴動音が出力される。このスリープフラグ１８ｅは、キーパット５２を操作したり、ＰＣ７０，７１から制御が行われた場合には、オフに設定される。これにより、多機能機１０は、スリープモードの設定を解除する。また、スリープフラグ１８ｅがオフに設定された後、キーパット５２の操作やＰＣ７０，７１からの制御が所定時間（本実施形態では、３分間）行われない場合には、多機能機１０は再びスリープモードに設定されるので、これに伴い、スリープフラグ１８ｅも再びオンに設定される。
【００４１】
おやすみフラグ１８ｆは、ユーザの操作によりオンとなるフラグであり、オンに設定されると、スリープフラグ１８ｅをオンしてスリープモードに設定した上で、即ち、印刷部５４やスキャン部５６への通電を停止すると共に各コンテンツのタイトルの表示パネル５０への表示を中止した上で、更に、電話機能への着信があったときにも、スピーカ６４から鳴動音を出力しないおやすみモードに設定する。なお、おやすみフラグ１８ｆは、ユーザの操作により、おやすみモードが解除された場合に、それに伴い、オフされる。更に、図６で後述するメイン処理で、おやすみフラグ１８ｆがオンであるときに、スリープフラグ１８ｅがオフとなると、電話機能への着信があったときにスピーカ６４から鳴動音を出力しない設定は維持されたまま、各コンテンツのタイトルの表示パネル５０への表示は行われる状態に設定される。
【００４２】
留守電フラグ１８ｇは、ユーザの操作によりオンとなるフラグであり、オンに設定されると、スリープフラグ１８ｅをオンしてスリープモードに設定した上で、即ち、印刷部５４やスキャン部５６への通電を停止すると共に各コンテンツのタイトルの表示パネル５０への表示を中止した上で、更に、電話機能への着信があったときには、その着信に応答し、留守であることを伝える留守電モードに設定する。なお、留守電フラグ１８ｇは、ユーザの操作により、留守電モードが解除された場合に、それに伴い、オフされる。更に、図６で後述するメイン処理で、留守電フラグ１８ｇがオンであるときに、スリープフラグ１８ｅがオフとなると、電話機能への着信があったときには、その着信に応答し、留守であることを伝える設定は維持されたまま、各コンテンツのタイトルの表示パネル５０への表示は行われる状態に設定される。
【００４３】
なお、スリープフラグ１８ｅ、おやすみフラグ１８ｆおよび留守電フラグ１８ｇのいずれもがオフに設定されている場合には、多機能機１０は、通常状態に設定されている。
【００４４】
ＰＣ稼動情報記憶領域１８ｈは、後述するデフォルトＰＣ情報記憶領域２０ｃに記憶されたデフォルトのＰＣ（以下、「デフォルトＰＣ」と称す）を除くＰＣから送信された稼動情報と、その稼動情報を送信したＰＣのホスト名を記憶するメモリである。また、デフォルトＰＣ稼動情報記憶領域１８ｉは、後述するデフォルトＰＣ情報記憶領域２０ｃに記憶されたデフォルトＰＣから受信した稼動情報と、その稼動情報を送信したデフォルトＰＣのホスト名を記憶するメモリである。なお、デフォルトＰＣ情報記憶領域２０ｃにデフォルトＰＣに関する情報が記憶されていない場合には、受信した稼動情報およびホスト名は、デフォルトＰＣ稼動情報記憶領域１８ｉに記憶されず、ＰＣ稼動情報記憶領域１８ｈに記憶される。
【００４５】
ＮＶＲＡＭ２０は、各記憶領域２０ａ〜２０ｃを有する書き換え可能な不揮発性のメモリである。基本機能パラメータ記憶領域２０ａは、ＣＰＵ１４が基本機能プログラム１６ａに従って処理を実行する際に利用される各種パラメータ（例えば印刷機能における設定、スキャン機能における設定等）を記憶するための記憶領域である。
【００４６】
ＵＲＬ記憶領域２０ｂは、各コンテンツ提供サーバ９０，９１が有するフィード情報のＵＲＬを記憶するための記憶領域である。なお、ユーザは、各コンテンツ提供サーバ９０，９１からのコンテンツ提供サービスを受けるための登録を行なう必要がある。この登録は、多機能機１０を利用して実行してもよいし、ＰＣ７０，７１を利用して実行してもよい。例えば、ユーザがＰＣ７０を利用してコンテンツ提供サーバ９０からのコンテンツ提供サービスを受けるための登録を行なった場合、コンテンツ提供サーバ９０のフィード情報のＵＲＬがＰＣ７０から多機能機１０に送信される。これにより、ＵＲＬ記憶領域２０ｂにコンテンツ提供サーバ９０のフィード情報のＵＲＬが記憶される。
【００４７】
デフォルトＰＣ情報記憶領域２０ｃは、ユーザが予め選択したデフォルトＰＣのＩＰアドレスやホスト名、即ち、デフォルトＰＣを識別するための情報を記憶している。ユーザが、所望のデフォルトＰＣ（例えば、常用するＰＣであるＰＣ７０）のＩＰアドレスやホスト名を多機能機１０に入力すると、その入力されたＩＰアドレスやホスト名がデフォルトＰＣ情報記憶領域２０ｃに記憶される。
【００４８】
表示パネル５０は、様々な情報を表示する表示装置である。表示パネル５０の表示画面は、ＰＣ７０，７１が有する表示画面より小さい。なお、表示パネル５０は、タッチパネルとして機能する。キーパッド５２は、複数のキーによって構成される。ユーザは、キーパッド５２を操作することによって様々な指示や情報を多機能機１０に入力することができる。
【００４９】
印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。
【００５０】
ネットワークＩ／Ｆ６０は、ＬＡＮ回線４に接続されている。多機能機１０は、ＰＣ７０，７１と通信可能であると共に、インターネット８にアクセス可能である。ＰＳＴＮ  Ｉ／Ｆ６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。スピーカ６４は、電話機能による着信が行われた場合に、鳴動音を出力する放音装置である。
【００５１】
次に、図３を参照して、ＮＶＲＡＭ２０のＵＲＬ記憶領域２０ｂ（図２参照）の記憶内容について説明する。図３は、ＵＲＬ記憶領域２０ｂの記憶内容の一例を示した図である。ＵＲＬ記憶領域２０ｂは、各コンテンツ提供サーバ９０，９１のフィード情報のＵＲＬ１０２を記憶することが可能である。換言すると、ＵＲＬ記憶領域２０ｂは、各サイトのフィード情報のＵＲＬ１０２を記憶することが可能である。図３の例では、ｎ個のＵＲＬ１０２が記憶されている。各ＵＲＬ１０２には、識別番号１００が付与されている。本実施形態では、識別番号１００を符号「ｉ」で表現する。
【００５２】
次に、図４を参照して、ＲＡＭ１８の表示情報記憶領域１８ｃ（図２参照）の記憶内容について説明する。図４は、表示情報記憶領域１８ｃの記憶内容の一例を示した図である。表示情報記憶領域１８ｃは、ＵＲＬ記憶領域２０ｂに記憶されているＵＲＬ毎に表示情報１１２を記憶することが可能である。換言すると、表示情報記憶領域１８ｃは、ＵＲＬ記憶領域２０ｂに記憶されているサイト毎に表示情報１１２を記憶することが可能である。
【００５３】
上述したように、ＵＲＬ記憶領域２０ｂにはｎ個（ｎは１以上の整数）のＵＲＬ１０２が記憶されている（図３参照）。このために、表示情報記憶領域１８ｃにもｎ個の表示情報１１２が記憶されている。各表示情報１１２には、識別番号１１０が付与されている。本実施形態では、識別番号１１０を符号「ｉ」で表現する。なお、識別情報１１０と、ＵＲＬ記憶領域２０ｂで使用される識別情報１００とは、同一の情報である。
【００５４】
次に、個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。フィード更新日時情報１２４は、コンテンツ提供サーバにおいてフィード情報が更新された日時（最新の更新日時）に関する情報である。
【００５５】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００５６】
各更新コンテンツ情報１３２は、コンテンツタイトル文字列１４０とコンテンツ更新日時情報１４２とコンテンツ要約文字列１４４とコンテンツＵＲＬ１４６を含んでいる。上述の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。
【００５７】
コンテンツタイトル文字列１４０は、コンテンツのタイトルの文字列である。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００５８】
なお、本実施形態においては、多機能機１０は、表示パネル５０に、上述したコンテンツタイトル文字列１４０とコンテンツ更新日時情報１４２とコンテンツ要約文字列１４４とを少なくとも表示する。ただし、多機能機１０は、表示パネル５０に、更にコンテンツＵＲＬ１４６を表示することも可能である。
【００５９】
次に、図５を参照して、ＰＣ７０のＣＰＵ７２によって実行されるＰＣ稼動情報送信処理について説明する。図５は、ＰＣ７０により実行されるＰＣ稼動情報送信処理を示したフローチャートである。このＰＣ稼動情報送信処理は、常駐ソフト７８（図１参照）が起動されることに伴い、ＰＣ稼動情報送信ソフト７８ａが起動された場合に、ＰＣ稼動情報送信ソフト７８ａにより実行開始される処理である。なお、ＰＣ７１においても、ＰＣ稼動情報送信処理が実行されるが、その処理はＰＣ７０と同一であるので、説明を省略する。
【００６０】
ＰＣ稼動情報送信処理では、まず、ＣＰＵ７２は、稼動情報の送信後、１分が経過したか否かを判定する（Ｓ３１）。稼動情報の送信後の計時は、ＰＣ７０に内蔵される図示しない時計装置により行われる。ＣＰＵ７２は、時計装置の計時により、１分が経過したか否かを判定する。なお、ＰＣ稼動情報送信処理が開始された直後においては、ＣＰＵ７２は、未だ、稼動情報を送信していない。よって、ＰＣ稼動情報送信処理が開始された直後においては、ＣＰＵ７２は、Ｓ３１をスキップしてＳ３２の処理を実行し、その後、Ｓ３１の処理に移行する。
【００６１】
Ｓ３１の処理で、ＣＰＵ７２は、稼動情報の送信後、１分が経過したと判定した場合には（Ｓ３１：Ｙｅｓ）、稼動情報を送信する（Ｓ３２）。一方、ＣＰＵ７２は、稼動情報の送信後、未だ１分が経過していないと判定した場合には（Ｓ３１：Ｎｏ）、１分が経過するまで、Ｓ３１の処理を繰り返し実行する。
【００６２】
このＰＣ稼動情報送信処理により、ＰＣ７０は、ＰＣ７０の稼動状態を示す稼動情報を１分毎に多機能機１０へ送信することができる。
【００６３】
次に、図６〜図９を参照して、多機能機１０のＣＰＵ１４によって実行される処理について説明する。なお、図６〜図９の説明に先立ち、フローチャートとして図示されていない処理について説明する。多機能機１０のＣＰＵ１４は、ＰＣ管理プログラム１６ｅ（図２参照）に従って以下の処理を実行する。ここで、ＰＣ７０，７１は、起動される毎にＰＣ起動通知を多機能機１０に送信する。このＰＣ起動通知がネットワークＩ／Ｆ６０を介して受信されたか否かを、ＣＰＵ１４は、常時監視している。ＣＰＵ１４は、ＰＣ起動通知が受信されたと判定すると、その受信したＰＣ起動通知に含まれるＩＰアドレスやホスト名をＰＣ情報記憶領域１８ｄ（図２参照）に記憶させる。この一連の処理が、ＣＰＵ１４により実行されている。
【００６４】
次に、図６を参照して、多機能機１０のＣＰＵ１４によって実行されるメイン処理について説明する。図６は、多機能機１０により実行されるメイン処理を示したフローチャートである。メイン処理は、多機能機１０の電源がオンされた場合に実行が開始される。そして、このメイン処理は、多機能機１０の電源オンの期間中、繰り返し実行される。
【００６５】
メイン処理では、まず、フィード情報解析更新処理が実行される（Ｓ４１）。ここで、図７を参照して、多機能機１０のＣＰＵ１４によって実行されるフィード情報解析更新処理について説明する。図７は、フィード情報解析更新処理を示したフローチャートである。フィード情報解析更新処理は、ＣＰＵ１４がフィード情報を取得して解析し、表示情報記憶領域１８ｃに記憶されたフィード情報を更新する処理である。
【００６６】
フィード情報解析更新処理では、まず、ＣＰＵ１４は、更新時刻に到達するまで待機する（Ｓ６１）。更新時刻は、例えば、ユーザによって設定されてもよいし、プログラムによって決められていてもよい。なお、本実施形態においては、更新時刻を３０分毎に設定している。そして、この更新時刻は、ＰＣ７０，７１のそれぞれに内蔵された図示しない時計装置によって計時されている。
【００６７】
Ｓ６１の処理において、更新時刻に到達すると、ＣＰＵ１４は、Ｓ６２の処理に進む。Ｓ６２の処理では、ＣＰＵ１４は、ＮＶＲＡＭ２０のＵＲＬ記憶領域２０ｂ（図２参照）に記憶されているＵＲＬ数（サイト数）を取得する（Ｓ６２）。図３に示されるように、本実施形態では、ＵＲＬ記憶領域２０ｂにｎ個のＵＲＬが記憶されている。このために、ＣＰＵ１４は、Ｓ６２の処理において「ｎ」を取得する。
【００６８】
次いで、ＣＰＵ１４は、カウンタｉを初期化する（Ｓ６３）。その後、ＣＰＵ１４は、カウンタｉがｎより小さいか否かを判定する（Ｓ６４）。ＣＰＵ１４は、カウンタｉがｎより小さいと判定した場合には（Ｓ６４：Ｙｅｓ）、表示情報記憶領域１８ｃの記憶内容の更新を行うＳ６５以降の処理へ移行する。
【００６９】
Ｓ６５の処理では、ＣＰＵ１４は、ＵＲＬ記憶領域２０ｂからｉ番目のサイトのＵＲＬを取得する。例えば、ゼロ番目のサイトのＵＲＬを取得する場合、図３の例では、「ｈｔｔｐ：／／ｗｗｗ．ｅｘａｍｐｌｅ０．ｃｏｍ」が取得される。次いで、ＣＰＵ１４は、インターネット接続プログラム１６ｂの制御に従って、Ｓ６５の処理で取得されたＵＲＬにアクセスし、フィード情報を取得する（Ｓ６６）。フィード情報は、図４に示されるサイト情報１２０や更新コンテンツ情報１３２を含んでいる。ＣＰＵ１４は、フィード情報を解析することによって、図４に示される表示情報１１２を作成する（Ｓ６７）。
【００７０】
そして、ＣＰＵ１４は、Ｓ６７の処理で作成された表示情報１１２を表示情報記憶領域１８ｃに記憶する（Ｓ６８）。例えば、ゼロ番目のサイトの表示情報１１２が作成された場合、ＣＰＵ１４は、番号「ｉ＝０」に対応づけられている古い表示情報１１２をクリアし、番号「ｉ＝０」に対応づけて新しい表示情報１１２を記憶する。
【００７１】
その後、ＣＰＵ１４は、カウンタｉに１を加算し（Ｓ６９）、Ｓ６４の処理に戻る。なお、ＣＰＵ１４は、カウンタｉがｎと同じになったと判定すると（Ｓ６４：Ｎｏ）、表示情報記憶領域１８ｃの記憶内容の更新が完了したと判定し、このフィード情報解析更新処理を終了する。
【００７２】
上述の通り、フィード情報解析更新処理を、多機能機１０およびＰＣ７０，７１の稼動状態に拘らず実行することにより、表示情報記憶領域１８ｃに各サイトの最新のフィード情報を記憶させることができる。よって、表示パネルに表示される各コンテンツのタイトルを最新の情報にすることができる。
【００７３】
図６の説明に戻る。Ｓ４１の処理後、ＣＰＵ１４は、スリープフラグ１８ｅがオンか否かを判定する（Ｓ４２）。ＣＰＵ１４は、スリープフラグ１８ｅがオンであると判定すると（Ｓ４２：Ｙｅｓ）、おやすみフラグ１８ｆがオンであるか否かを判定する（Ｓ４３）。そして、ＣＰＵ１４は、おやすみフラグ１８ｆがオンであると判定すると（Ｓ４３：Ｙｅｓ）、Ｓ４５の処理へ移行する。
【００７４】
一方、Ｓ４３の処理で、ＣＰＵ１４は、おやすみフラグ１８ｆがオフであると判定すると（Ｓ４３：Ｎｏ）、留守電フラグ１８ｇがオンであるか否かを判定する（Ｓ４４）。ＣＰＵ１４は、留守電フラグ１８ｇがオンであると判定すると（Ｓ４４：Ｙｅｓ）、Ｓ４５の処理へ移行する。
【００７５】
Ｓ４５の処理では、ＣＰＵ１４は、デフォルトＰＣ情報記憶領域２０ｃにデフォルトＰＣを識別する情報が記憶されているか否かを判定する（Ｓ４５）。ＣＰＵ１４は、デフォルトＰＣを識別する情報が記憶されていると判定すると（Ｓ４５：Ｙｅｓ）、デフォルトＰＣ稼動情報記憶領域１８ｉから、デフォルトＰＣの最新の稼動情報を取得し（Ｓ４６）、Ｓ４８の処理へ移行する。一方、ＣＰＵ１４は、デフォルトＰＣを識別する情報が記憶されていないと判定すると（Ｓ４５：Ｎｏ）、デフォルトＰＣの設定がユーザにより行われていないと判定し、ＰＣ稼動情報記憶領域１８ｈからＰＣの最新の稼動情報を取得し（Ｓ４７）、Ｓ４８の処理へ移行する。
【００７６】
ここで、図８を参照して、ＰＣ稼動情報記憶領域１８ｈに、デフォルトＰＣを除くＰＣの最新の稼動情報を記憶させる処理、およびデフォルトＰＣ稼動情報記憶領域１８ｉに、デフォルトＰＣの最新の稼動情報を記憶させる処理であるＰＣ稼動情報記憶処理について説明する。図８は、多機能機１０のＣＰＵ１４で実行されるＰＣ稼動情報記憶処理を示したフローチャートである。ＰＣ稼動情報記憶処理は、ＰＣ７０，７１から送信された稼動情報がネットワークＩ／Ｆ６０で受信された場合に実行される処理である。
【００７７】
ＰＣ稼動情報記憶処理では、まず、ＣＰＵ１４は、現在の時刻、即ち、稼動情報を取得した時刻を、図示しない内蔵の時計装置から取得する（Ｓ７１）。次に、ＣＰＵ１４は、受信した稼動情報が、デフォルトＰＣ情報記憶領域２０ｃに記憶されたデフォルトＰＣのものであるか否かを判定する（Ｓ７２）。ＣＰＵ１４は、受信した稼動情報が、デフォルトＰＣ情報記憶領域２０ｃに記憶されたデフォルトＰＣのものであると判定すると（Ｓ７２：Ｙｅｓ）、時計装置から取得した時刻を受信時刻として、受信した稼動情報に対応付け、受信時刻および稼動情報を、デフォルトＰＣ稼動情報記憶領域１８ｉに記憶する（Ｓ７３）。
【００７８】
一方、ＣＰＵ１４は、受信した稼動情報が、デフォルトＰＣ情報記憶領域２０ｃに記憶されたデフォルトＰＣのものでないと判定すると（Ｓ７２：Ｎｏ）、時計装置から取得した時刻を受信時刻として、受信した稼動情報に対応付け、受信時刻および稼動情報を、ＰＣ稼動情報記憶領域１８ｈに記憶する（Ｓ７４）。なお、Ｓ７３またはＳ７４の処理が終了すると、ＣＰＵ１４は、このＰＣ稼動情報記憶処理を終了する。
【００７９】
更に、図９を参照して、図８に示すＰＣ稼動情報記憶処理の実行だけでは検出できない、ＰＣ７０，７１の常駐ソフト７８の起動が終了した状態となった、或いは、ＰＣ７０，７１の電源がオフされた状態となったことを検出するＰＣ稼動情報検出処理について説明する。図９は、多機能機１０のＣＰＵ１４で実行されるＰＣ稼動情報検出処理を示したフローチャートである。ＰＣ稼動情報検出処理は、ＰＣ稼動情報記憶領域１８ｈ、またはデフォルトＰＣ稼動情報記憶領域１８ｉのいずれかに稼動情報が記憶された場合に繰り返し実行される処理である。
【００８０】
ＰＣ稼動情報検出処理では、まず、ＣＰＵ１４は、デフォルトＰＣ稼動情報記憶領域１８ｉに稼動情報が記憶されてから、３分が経過したか否かを判定する（Ｓ８１）。なお、この３分の計時は、図示しない内蔵の時計装置により行われる。ＣＰＵ１４は、デフォルトＰＣ稼動情報記憶領域１８ｉに稼動情報が記憶されてから、３分が経過したと判定すると（Ｓ８１：Ｙｅｓ）、デフォルトＰＣ稼動情報記憶領域１８ｉに記憶された稼動情報を削除する（Ｓ８２）。
【００８１】
Ｓ８２の処理について詳しく説明する。ＰＣ７０，７１に電源が供給され、常駐ソフト７８が起動していれば、図５に示すＰＣ稼動情報送信処理が実行され、稼動情報は、ＰＣ７０，７１から１分毎に送信される。よって、ＰＣ７０，７１に電源が供給され、常駐ソフト７８が起動していれば、デフォルトＰＣ稼動情報記憶領域１８ｉに稼動情報が記憶されてから、３分が経過することはない。従って、デフォルトＰＣ稼動情報記憶領域１８ｉに稼動情報が記憶されてから３分が経過した場合には、ＰＣ７０，７１の常駐ソフト７８の起動が終了した状態となった、或いは、ＰＣ７０，７１の電源がオフされた状態となったことを示している。
【００８２】
ここで、常駐ソフト７８の起動が終了した状態となった、或いは、電源がオフされた状態となったＰＣの稼動情報が通常状態を示したまま、ＰＣ稼動情報記憶領域１８ｉに記憶され続けると、コンテンツタイトル文字列１４０等がＰＣのユーザによって視認される可能性が低い状態となったにも拘らず、コンテンツタイトル文字列１４０等が表示パネル５０に無駄に表示され続ける。よって、ＣＰＵ１４は、Ｓ８２の処理で、デフォルトＰＣ稼動情報記憶領域１８ｉに記憶された稼動情報を削除して、以後、常駐ソフト７８の起動が終了した状態となった、或いは、電源がオフされた状態となったＰＣの稼動情報の取得が行われることを防止するのである。このように、常駐ソフト７８の起動が終了した状態となったＰＣの稼動情報、或いは、電源がオフされた状態となったＰＣの稼動情報を削除することで、これらのＰＣの稼動情報がＳ４８の処理で用いられることはなく、Ｓ４８の処理では、電源がオンされ、且つ、常駐ソフト７８の起動が行われているＰＣの稼動情報だけを、使用することができる。
【００８３】
一方、Ｓ８１の処理で、ＣＰＵ１４は、デフォルトＰＣ稼動情報記憶領域１８ｉに稼動情報が記憶されてから、３分が経過していないと判定すると（Ｓ８１：Ｎｏ）、ＰＣ稼動情報記憶領域１８ｈに稼動情報が記憶されてから、３分が経過したか否かを判定する（Ｓ８３）。ＣＰＵ１４は、ＰＣ稼動情報記憶領域１８ｈに稼動情報が記憶されてから、３分が経過したと判定すると（Ｓ８３：Ｙｅｓ）、ＰＣ稼動情報記憶領域１８ｈに記憶された稼動情報を削除する（Ｓ８４）。この理由は、Ｓ８２の処理、即ち、前述のデフォルトＰＣ稼動情報記憶領域１８ｉの稼動情報を削除する処理と同様である。
【００８４】
Ｓ８３の処理で、ＣＰＵ１４は、ＰＣ稼動情報記憶領域１８ｈに稼動情報が記憶されてから、３分が経過していないと判定すると（Ｓ８３：Ｎｏ）、Ｓ８１の処理へ移行する。これにより、Ｓ８１以降の処理が繰り返し実行される。なお、ＣＰＵ１４は、Ｓ８２の処理、或いはＳ８３の処理を実行すると、このＰＣ稼動情報検出処理を終了する。
【００８５】
上述したＰＣ稼動情報検出処理によれば、ＰＣ７０，７１の常駐ソフト７８の起動が終了した状態となったこと、或いは、ＰＣ７０，７１の電源がオフされた状態となったことを検出し、そのＰＣの稼動情報を削除することができる。よって、常駐ソフト７８の起動が終了した状態となった、或いは、電源がオフされた状態となったＰＣの稼動情報の取得が行われることを防止することができる。従って、通常状態を示す削除前のＰＣの稼動情報が取得され続け、コンテンツタイトル文字列１４０等がＰＣのユーザによって視認される可能性が低い状態となったにも拘らず、コンテンツタイトル文字列１４０等が表示パネル５０に無駄に表示され続けることを防止することができる。
【００８６】
図６の説明に戻る。ＣＰＵ１４は、Ｓ４８の処理に移行すると、稼動情報の示す稼動状態のうち、少なくとも１つが通常状態であるか否かを判定する（Ｓ４８）。ＣＰＵ１４は、少なくとも１つの稼動情報が通常状態であると判定すると（Ｓ４８：Ｙｅｓ）、コンテンツタイトル文字列１４０等がＰＣのユーザによって視認される可能性が高いと判定し、コンテンツタイトル文字列１４０とコンテンツ更新日時情報１４２とコンテンツ要約文字列１４４とを、多機能機１０の表示パネル５０にスクロール表示するＳ４９以降の処理へ移行する。
【００８７】
一方、Ｓ４８の処理で、ＣＰＵ１４は、稼動情報の示す稼動状態のうち、少なくとも１つの稼動情報が通常状態でない、即ち、稼動情報の示す稼動状態の全てが待機状態であると判定すると（Ｓ４８：Ｎｏ）、コンテンツタイトル文字列１４０等がＰＣのユーザによって視認される可能性は低いと判定し、コンテンツタイトル文字列１４０とコンテンツ更新日時情報１４２とコンテンツ要約文字列１４４とのスクロール表示を行わない（Ｓ５６）。つまり、おやすみフラグ１８ｆ或いは留守電フラグ１８ｇがオンされることで行われている、コンテンツタイトル文字列１４０とコンテンツ更新日時情報１４２とコンテンツ要約文字列１４４とのスクロール表示の中止を維持する。その後、このメイン処理を終了する。
【００８８】
上述のように、デフォルトＰＣが設定されている場合には（Ｓ４５：Ｙｅｓの場合には）、そのデフォルトＰＣの少なくとも１つが通常状態であれば（Ｓ４８：Ｙｅｓ）、デフォルトＰＣが設定されていない場合には（Ｓ４５：Ｎｏの場合には）、そのデフォルトＰＣを除くＰＣの少なくとも１つが通常状態であれば（Ｓ４８：Ｙｅｓ）、ＣＰＵ１４は、コンテンツタイトル文字列１４０等がＰＣのユーザによって視認される可能性が高いと判定し、コンテンツタイトル文字列１４０とコンテンツ更新日時情報１４２とコンテンツ要約文字列１４４とをスクロール表示する。よって、ＰＣ７０，７１のユーザが表示パネル５０を視認した場合に、コンテンツタイトル文字列１４０等が表示パネル５０に表示されていない状態となっていることを防止することができる。
【００８９】
一方で、上述のように、デフォルトＰＣが設定されている場合には（Ｓ４５：Ｙｅｓの場合には）、そのデフォルトＰＣの全てが待機状態であれば（Ｓ４８：Ｎｏ）、デフォルトＰＣが設定されていない場合には（Ｓ４５：Ｎｏの場合には）、そのデフォルトＰＣ以外のＰＣの全てが待機状態であれば（Ｓ４８：Ｎｏ）、ＣＰＵ１４は、コンテンツタイトル文字列１４０等がＰＣのユーザによって視認される可能性が低いと判定し、コンテンツタイトル文字列１４０等のスクロール表示の中止を維持する。よって、コンテンツタイトル文字列１４０等が表示パネル５０に無駄に表示されることを防止して、多機能機１０で消費される電力を抑制することができる。
【００９０】
ＣＰＵ１４は、Ｓ４４の処理でＮｏと判定した場合、およびＳ４８の処理でＹｅｓと判定した場合には、スリープフラグ１８ｅをオフして（Ｓ４９）、スリープモードを解除する（Ｓ５０）。そして、ＣＰＵ１４は、表示情報記憶領域１８ｃから、コンテンツタイトル文字列１４０とコンテンツ更新日時情報１４２とコンテンツ要約文字列１４４を取得し、それらを表示パネル５０にスクロール表示する（Ｓ５１）。
【００９１】
その後、ＣＰＵ１４は、キーパット５２の操作およびＰＣ７０，７１からの制御が行われない状態が（無操作状態および無制御状態が）、Ｓ４９の処理後、３分間継続したか否かを判定する（Ｓ５２）。ＣＰＵ１４は、無操作状態および無制御状態が、Ｓ４９の処理後、未だ３分間継続していないと判定すると（Ｓ５２：Ｎｏ）、Ｓ５１の処理へ戻る。一方、ＣＰＵ１４は、無操作状態および無制御状態が、Ｓ４９の処理後、３分間継続したと判定すると（Ｓ５２：Ｙｅｓ）、スリープフラグ１８ｅをオンする（Ｓ５３）。そして、ＣＰＵ１４は、表示パネル５０へのスクロール表示を終了して（Ｓ５４）、スリープモードへ設定し（Ｓ５５）、このメイン処理を終了する。
【００９２】
なお、ＣＰＵ１４は、Ｓ４２の処理で、スリープフラグ１８ｅがオンでないと判定すると（Ｓ４２：Ｎｏ）、多機能機１０が通常状態であると判定し、コンテンツタイトル文字列１４０とコンテンツ更新日時情報１４２とコンテンツ要約文字列１４４とを表示パネル５０にスクロール表示するＳ５１以降の処理へ移行する。
【００９３】
また、ＣＰＵ１４は、Ｓ４３の処理で、おやすみフラグ１８ｆがオフであると判定し（Ｓ４３：Ｎｏ）、Ｓ４４の処理で、留守電フラグ１８ｇがオフであると判定すると（Ｓ４４：Ｎｏ）、スリープフラグ１８ｅのみがオンされていると判定し、そのスリープフラグ１８ｅをオフした上で、コンテンツタイトル文字列１４０とコンテンツ更新日時情報１４２とコンテンツ要約文字列１４４とを多機能機１０の表示パネル５０にスクロール表示するＳ４９以降の処理へ移行する。
【００９４】
上述した通り、メイン処理では、ＣＰＵ１４は、Ｓ４８の処理で、デフォルトＰＣ稼動情報記憶領域１８ｉまたはＰＣ稼動情報記憶領域１８ｈに記憶された稼動情報、即ち、ＰＣ７０，７１から１分毎に送信される稼動情報を用いて、デフォルトＰＣおよびデフォルトＰＣを除く各ＰＣの稼動状態を判定する。よって、ＣＰＵ１４は、ＰＣのユーザによってコンテンツタイトル文字列１４０等が視認される最新の可能性に応じて、表示パネル５０への表示を行うか否かを判定することができる。
【００９５】
また、メイン処理では、ＣＰＵ１４は、デフォルトＰＣ情報記憶領域２０ｃにデフォルトＰＣを識別する情報が記憶されていない場合に限り（Ｓ４５：Ｎｏの場合に限り）、ＰＣ稼動情報記憶領域１８ｈから、各ＰＣの稼動情報を取得して（Ｓ４７）、その後、Ｓ４８の処理による判定を行っている。ここで、例えば、デフォルトＰＣが１台である一方、デフォルトＰＣを除くＰＣが数十台になる場合には、Ｓ４７の処理およびその後のＳ４８の処理に費やす時間が膨大となる。しかし、メイン処理では、上述の通り、デフォルトＰＣ情報記憶領域２０ｃにデフォルトＰＣを識別する情報が記憶されていない場合に限り（Ｓ４５：Ｎｏの場合に限り）、Ｓ４７の処理およびその後のＳ４８の処理を実行している。
【００９６】
上述したように、本実施形態の多機能機１０によれば、ＰＣ７０或いはＰＣ７１のユーザによって、多機能機１０の表示パネル５０に表示される各コンテンツのタイトル等（コンテンツタイトル文字列１４０とコンテンツ更新日時情報１４２とコンテンツ要約文字列１４４）が視認される可能性が高い場合には、多機能機１０が、電話機能への着信があったときに、スピーカ６４から鳴動音を出力しないおやすみモードや、電話機能への着信があったときに、その着信に応答し、留守であることを伝える留守電モードに設定されていても、即ち、待受状態に設定されていても、各コンテンツのタイトル等の表示パネル５０への表示を、中止することなく、継続する。よって、多機能機１０は、その状態が待受状態となっても、ＰＣ７０或いはＰＣ７１のユーザに何ら操作を強いることなく、各コンテンツのタイトル等を表示することができる。
【００９７】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９８】
本実施形態の多機能機１０では、図６に示すメイン処理のＳ５２の処理において、ＣＰＵ１４は、キーパット５２の操作およびＰＣ７０，７１からの制御が行われない状態が（無操作状態および無制御状態が）、Ｓ４９の処理後、３分間継続したと判定すると（Ｓ５２：Ｙｅｓ）、スリープフラグ１８ｅをオンして（Ｓ５３）、表示パネル５０へのスクロール表示を終了し（Ｓ５４）、スリープモードへ設定したが（Ｓ５５）、これに限られるものではない。
【００９９】
即ち、ＣＰＵ１４は、キーパット５２の操作およびＰＣ７０，７１からの制御が行われない状態が（無操作状態および無制御状態が）、Ｓ４９の処理後、３分間継続したと判定した後（Ｓ５２：Ｙｅｓ）、Ｓ５３の処理へ移行する前に、Ｓ４５〜Ｓ４８の処理を再度実行し、その再度実行したＳ４８の処理で、少なくとも１つの稼動情報の示す稼動状態が、通常処理であると判定した場合には（Ｓ４８：Ｙｅｓ）、Ｓ５１の処理を継続する一方、再度実行したＳ４８の処理で、全ての稼動情報の示す稼動状態が、待機処理であると判定した場合には（Ｓ４８：Ｎｏ）、Ｓ５３の処理へ移行する構成としても良い。
【０１００】
この構成の場合には、Ｓ４９の処理後、無操作状態および無制御状態が３分間以上継続しても、表示パネル５０への各コンテンツのタイトル等（コンテンツタイトル文字列１４０とコンテンツ更新日時情報１４２とコンテンツ要約文字列１４４）の表示を継続させることができる。
【０１０１】
なお、上述の構成においては、無操作状態および無制御状態がＳ４９の処理後３分間以上継続した後も、表示パネル５０への各コンテンツのタイトル等（コンテンツタイトル文字列１４０とコンテンツ更新日時情報１４２とコンテンツ要約文字列１４４）の表示を継続させている場合に、フィード情報の更新時刻となることが考えられるが、次の構成とすることで、表示情報記憶領域１８ｃに記憶された各サイトのフィード情報を最新の情報に更新できる。
【０１０２】
即ち、多機能フィード情報解析更新処理（Ｓ４１）で実行されるＳ６１の処理（更新時刻待ちの処理）だけを多機能フィード情報解析更新処理（Ｓ４１）から独立させ、このＳ６１の処理を割り込み処理で実行し、このＳ６１の処理で、更新時刻に到達したと判定された場合には、Ｓ６２以降の処理が実行されるように構成すれば良い。この構成によれば、表示パネル５０への各コンテンツのタイトル等の表示を継続している場合に、更新時刻に達しても、確実に、表示情報記憶領域１８ｃに記憶された各サイトのフィード情報を最新の情報に更新できる。
【０１０３】
また、本実施形態においては、各コンテンツのタイトルを表示する対象を多機能機１０としたが、これに限られるものではない。即ち、各コンテンツのタイトルを表示する対象を、スキャナ装置、プリンタ装置、或いは電話機等、表示パネル５０が搭載可能である装置としても良い。この構成の場合には、スキャナ装置、プリンタ装置、或いは電話機に設けられた表示パネル５０に、各コンテンツのタイトルを表示することができる。
【０１０４】
また、本実施形態の画像形成システム１では、多機能機１０と、ＰＣ７０，７１とは、ケーブルにて（有線にて）、互いに接続されていたが、これに限られるものではない。即ち、多機能機１０およびＰＣ７０，７１の各々に無線通信インターフェイスを設け、その無線通信インターフェイスを用いて、多機能機１０とＰＣ７０，７１とを無線通信によって電気的に接続しても良い。
【０１０５】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【０１０６】
また、本実施形態においては、多機能機１０は、ブラウザプログラムを有していなかったが、これに限られるものではなく、多機能機１０は、ブラウザプログラムを有していてもよい。この構成の場合には、多機能機１０は、コンテンツをダウンロードして表示パネル５０で表示することができる。
【図面の簡単な説明】
【０１０７】
【図１】本発明の一実施形態における多機能機システムの概略を示した図である。
【図２】多機能機の電気的構成を示すブロック図である。
【図３】ＵＲＬ記憶領域の記憶内容の一例を示した図である。
【図４】表示情報記憶領域の記憶内容の一例を示した図である。
【図５】ＰＣにより実行されるＰＣ稼動情報送信処理を示したフローチャートである。
【図６】多機能機により実行されるメイン処理を示したフローチャートである。
【図７】多機能機により実行されるフィード情報解析更新処理を示したフローチャートである。
【図８】多機能機で実行されるＰＣ稼動情報記憶処理を示したフローチャートである。
【図９】多機能機で実行されるＰＣ稼動情報検出処理を示したフローチャートである。
【符号の説明】
【０１０８】
２          多機能機システム（通信システムの一例）
１０        多機能機（通信装置の一例）
１６ｂ      インターネット接続プログラム（要約情報取得手段の一部の一例）
１８ｂ      フィード情報解析ワーク領域（要約情報記憶手段の一例）
１８ｆ      おやすみフラグ（検出手段の一部の一例）
１８ｇ      留守電フラグ（検出手段の一部の一例）
２０ｂ      ＵＲＬ記憶領域（位置情報記憶手段の一例）
２０ｃ      デフォルトＰＣ情報記憶領域（記憶手段の一例）
５０        表示パネル（タイトル表示手段の一例）
７０，７１  パーソナルコンピュータ（制御装置の一例）
９０，９１  コンテンツ提供サーバ（ネットワーク位置情報が示す装置の一例）
Ｓ４１      多機能機フィード情報解析更新処理（要約情報更新手段の一例）
Ｓ４３，Ｓ４４      メイン処理（検出手段の一部の一例）
Ｓ４８      メイン処理（判定手段の一例、抽出判定手段の一例、全判定手段の一例）
Ｓ４８：Ｙｅｓ      メイン処理（実行手段の一例）
Ｓ７２      ＰＣ稼動情報記憶処理（抽出手段の一例）
ＰＣ稼動情報記憶処理（情報受信手段の一例）
ＰＣ稼動情報検出処理（状態判定手段の一例）
【図１】
2010087901.tif 000003
【図２】
2010087901.tif 000004
【図３】
2010087901.tif 000005
【図４】
2010087901.tif 000006
【図５】
2010087901.tif 000007
【図６】
2010087901.tif 000008
【図７】
2010087901.tif 000009
【図８】
2010087901.tif 000010
【図９】
2010087901.tif 000011